(57)【要約】【課題】本発明は、流路に生体排液を流通させたときに、生体排液が逆流することを防ぎつつ、生体排液の流速を増加させることが可能な医療用チューブ、チューブ接続構造、及び蓄尿バッグセットを提供することを目的とする。【解決手段】一端側から他端側に向かって生体排液を通過させる流路を備える医療用チューブであって、前記流路内部を加圧又は減圧する圧力制御手段と、該圧力制御手段の位置よりも前記流路の上流側に、前記生体排液が逆流することを防止する逆流防止手段とを更に備えることを特徴とする、医療用チューブ、該医療用チューブを備えるチューブ接続構造、及び該チューブ接続構造を備える蓄尿バッグセット。【選択図】図１
2014158609.tif 000002
【特許請求の範囲】
【請求項１】
一端側から他端側に向かって生体排液を通過させる流路を備える医療用チューブであって、
前記流路内部を加圧又は減圧する圧力制御手段と、該圧力制御手段の位置よりも前記流路の上流側に、前記生体排液が逆流することを防止する逆流防止手段とを更に備えることを特徴とする、医療用チューブ。
【請求項２】
前記生体排液は尿であることを特徴とする、請求項１に記載の医療用チューブ。
【請求項３】
前記圧力制御手段は、医療用チューブの内径と比較して大きい内径を有し、押圧されることによって前記流路内部を加圧する、拡径部であることを特徴とする、請求項１に記載の医療用チューブ。
【請求項４】
前記拡径部はバルーン形状を有することを特徴とする、請求項３に記載の医療用チューブ。
【請求項５】
前記拡径部は平板状の形状を有することを特徴とする、請求項３に記載の医療用チューブ。
【請求項６】
前記拡径部の押圧手段としての冶具を更に有することを特徴とする、請求項４に記載の医療用チューブ。
【請求項７】
前記冶具は、前記医療用チューブの内径と比較して大きく、且つ前記拡径部の内径と比較して小さい内径を有する穴、及び、前記拡径部の内径と比較して大きい内径を有する穴を有することを特徴とする、請求項６に記載の医療用チューブ。
【請求項８】
前記逆流防止手段は、逆止弁又はクランプであることを特徴とする、請求項１に記載の医療用チューブ。
【請求項９】
請求項１に記載の医療用チューブと、該医療用チューブの他端側に接続された医療用コネクタとを備えることを特徴とする、チューブ接続構造。
【請求項１０】
請求項９に記載のチューブ接続構造と、前記医療用コネクタに接続された蓄尿バッグとを備えることを特徴とする、蓄尿バッグセット。
【発明の詳細な説明】
【技術分野】
【０００１】
本発明は、医療用チューブ、チューブ接続構造、及び蓄尿バッグセットに関し、特に、流路に生体排液を流通させたときに、生体排液が逆流することを防ぎつつ、生体排液の流速を増加させることが可能な医療用チューブ、チューブ接続構造、及び蓄尿バッグセットに関する。
【背景技術】
【０００２】
医療現場では、一般的に不溶物を含む生体排液（例えば、尿砂等を含む尿）を、患者の体内から体外に排出する必要が生じる。この必要を満たすために、一端側から他端側に向かって生体排液を通過させる流路を備える医療用チューブが用いられる（例えば、特許文献１、２参照）。
【先行技術文献】
【特許文献】
【０００３】
【特許文献１】特開２００７−１６７４８３号公報
【特許文献２】特表２０００−５０１０１０号公報
【発明の概要】
【発明が解決しようとする課題】
【０００４】
しかしながら、上記従来の医療用チューブでは、生体排液の流速が十分ではなく、生体排液中の不溶物が流路に滞留する等という問題があった。そして、この問題に対処するため、医療用チューブを搖動させた場合や、ミルキング（医療用チューブをしごいて詰まりを解消させる操作）を行った場合、生体排液が他端側から一端側に向かって逆流する虞があった。
【０００５】
そこで、本発明は、流路に生体排液を流通させたときに、生体排液が逆流することを防ぎつつ、生体排液の流速を増加させることが可能な医療用チューブ、チューブ接続構造、及び蓄尿バッグセットを提供することを目的とする。
【課題を解決するための手段】
【０００６】
本発明の要旨は以下の通りである。
本発明の医療用チューブは、一端側から他端側に向かって生体排液を通過させる流路を備える医療用チューブであって、前記流路内部を加圧又は減圧する圧力制御手段と、該圧力制御手段の位置よりも前記流路の上流側に、前記生体排液が逆流することを防止する逆流防止手段とを更に備えることを特徴とする。
本発明の医療用チューブによれば、医療用チューブの流路に、生体排液を流通させたときに、生体排液が逆流することを防ぎつつ、生体排液の流速を増加させることができる。
【０００７】
また、本発明の医療用チューブでは、前記生体排液が尿であることが好ましい。上記構成とすれば、尿を流通させたときに、尿の流速を増加させることができる。
【０００８】
更に、本発明の医療用チューブでは、前記圧力制御手段は、医療用チューブの内径と比較して大きい内径を有し、押圧されることによって前記流路内部を加圧する、拡径部であることが好ましい。上記構成とすれば、拡径部を押圧することによって、流路内部を加圧することができ、これにより、生体排液の流速を増加させることができる。
【０００９】
更に、本発明の医療用チューブでは、前記拡径部はバルーン形状を有することが好ましい。上記構成とすれば、拡径部を容易に押圧することができるため、流路内部を容易に加圧することができ、これにより、生体排液の流速を増加させることができる。
【００１０】
更に、本発明の医療用チューブでは、前記拡径部は平板状の形状を有することが好ましい。上記構成とすれば、拡径部を比較的小さい力で押圧することができるため、流路内部を容易に加圧することができ、これにより、生体排液の流速を増加させることができる。
【００１１】
更に、本発明の医療用チューブでは、前記拡径部の押圧手段としての冶具を更に有することが好ましい。上記構成とすれば、冶具を用いて拡径部を押圧することによって、流路内部を加圧することができ、これにより、生体排液の流速を増加させることができる。
【００１２】
更に、本発明の医療用チューブでは、前記冶具は、前記医療用チューブの内径と比較して大きく、且つ前記拡径部の内径と比較して小さい内径を有する穴、及び、前記拡径部の内径と比較して大きい内径を有する穴を有することが好ましい。上記構成とすれば、冶具を用いて拡径部を押圧することによって、流路内部を加圧することができ、これにより、生体排液の流速を増加させることができる。また、拡径部の押圧を、繰り返し行うことができる。
【００１３】
更に、本発明の医療用チューブでは、前記逆流防止手段は、逆止弁又はクランプであることが好ましい。上記構成とすれば、逆止弁又はクランプにより、生体排液が逆流することを防ぐことができる。
【００１４】
本発明のチューブ接続構造は、上記の医療用チューブと、該医療用チューブの他端側に接続された医療用コネクタとを備えることを特徴とする。
本発明のチューブ接続構造によれば、生体内部から排出された生体排液を医療用コネクタまで導くことができる。
【００１５】
本発明の蓄尿バッグセットは、上記のチューブ接続構造と、前記医療用コネクタに接続された蓄尿バッグとを備えることを特徴とする。
本発明の蓄尿バッグセットによれば、膀胱内部から排出された尿を、医療用コネクタを介して蓄尿バッグまで導くことができる。
【発明の効果】
【００１６】
本発明の医療用チューブによれば、その流路に生体排液を流通させたときに、生体排液が逆流することを防ぎつつ、生体排液の流速を増加させることができる。本発明のチューブ接続構造、及び本発明の蓄尿バッグセットによれば、上記本発明の医療用チューブの効果を得ることができる。
【図面の簡単な説明】
【００１７】
【図１】本発明の医療用チューブの概略を示す図である。
【図２】（ａ）は、拡径部を備える図１に示す医療用チューブの一例の概略を示す図である。（ｂ）及び（ｃ）は、（ａ）に示す医療用チューブの一例が備える冶具の作用を示す図である。
【図３】（ａ）は、図２に示す医療用チューブの一例が備える拡径部の変形例の概略を示す図である。（ｂ）は、（ａ）に示す拡径部を、線Ｘ−Ｘに沿って切断したときの断面図である。
【図４】図２に示す医療用チューブの一例を備えるチューブ接続構造の一例、及び該チューブ接続構造の一例を備える蓄尿バッグセットの一例の概略を示す図である。
【発明を実施するための形態】
【００１８】
以下、図面を参照して、本発明の医療用チューブ、本発明のチューブ接続構造、及び本発明の蓄尿バッグセットの実施形態について詳細に例示説明する。
【００１９】
（医療用チューブ）
図１は、本発明の医療用チューブの概略を示す図である。
図１において、医療用チューブ１は、一端２ａ側から他端２ｂ側に向かって生体排液３を通過させる流路２を備える。
【００２０】
ここで、医療用チューブ１は、流路２の一部に、流路２内部を加圧又は減圧する圧力制御手段４と、生体排液３が逆流することを防止する逆流防止手段５とを備えることを必要とする。そして、逆流防止手段５は、圧力制御手段４の位置よりも流路２の上流側、すなわち、流路２の一端２ａ側に位置することを必要とする。
【００２１】
医療用チューブ１では、圧力制御手段４を用いて流路２内部を加圧又は減圧した際に、流路２を通過する生体排液３の流速が増加するため、流路２に滞留した生体排液３中の不溶物を、その滞留部位から流動させることが可能になる。
【００２２】
また、医療用チューブ１では、流路２内部を加圧又は減圧した際に、流路２を通過する生体排液３の流速が増加するとき、流路２には、一端２ａ側から他端２ｂ側に向かう流れと共に、他端２ｂ側から一端２ａ側に向かう流れも生じてしまう。
すなわち、圧力制御手段４が加圧手段４ａである場合には、加圧手段４ａよりも流路２の下流側にある生体排液３の、一端２ａ側から他端２ｂ側に向かう方向の流速が増加する一方、加圧手段４ａよりも流路２の上流側にある生体排液３の、他端２ｂ側から一端２ａ側に向かう方向の流速が増加してしまう。また、圧力制御手段４が減圧手段４ｂである場合には、減圧手段４ｂよりも流路２の上流側にある生体排液３の、一端２ａ側から他端２ｂ側に向かう方向の流速が増加する一方、減圧手段４ｂよりも流路２の下流側にある生体排液３の、他端２ｂ側から一端２ａ側に向かう方向の流速が増加してしまう。
【００２３】
ここで、医療用チューブ１では、加圧手段４ａ又は減圧手段４ｂからなる圧力制御手段４の位置よりも流路２の上流側に、逆流防止手段５を備えるために、流路２内部を加圧又は減圧した際に、流路２を通過する生体排液３が、他端２ｂ側から一端２ａ側に向かって、逆流することを確実に防ぐことができる。
【００２４】
上記の通り、医療用チューブ１によれば、流路２を通過する生体排液３の流速を増加させることができる。これにより、流路２に滞留した生体排液３中の不溶物を、その滞留部位から流動させ、該不溶物を一端２ａ側から他端２ｂ側に向かって、通過させることができる。このとき、生体排液３が、他端２ｂ側から一端２ａ側に向かって、逆流することを防ぐことができる。
【００２５】
ここで、圧力制御手段４が加圧手段４ａである場合には、加圧手段４ａは、流路２の他端２ｂ側よりも流路２の一端２ａ側に備えられることが好ましい。
上述の通り、加圧手段４ａは、加圧手段４ａよりも流路２の下流側にある生体排液３の、一端２ａ側から他端２ｂ側に向かう方向の流速を増加させる。ここで、上記構成とすれば、この加圧手段４ａよりも流路２の下流側にある生体排液３の量を比較的大きくすることができるため、加圧による効果を比較的大きくすることができる。
【００２６】
一方、圧力制御手段４が減圧手段４ｂである場合には、減圧手段４ｂは、流路２の一端２ａ側よりも流路２の他端２ｂ側に備えられることが好ましい。
上述の通り、減圧手段４ｂは、減圧手段４ｂよりも流路２の上流側にある生体排液３の、一端２ａ側から他端２ｂ側に向かう方向の流速を増加させる。ここで、上記構成とすれば、この減圧手段４ｂよりも流路２の上流側にある生体排液３の量を比較的大きくすることができるため、減圧による効果を比較的大きくすることができる。
【００２７】
医療用チューブ１に用いることができる加圧手段４ａとしては、加圧ポンプ、拡径部（バルーン形状部分、平板状の形状部分等）の押圧その他手段等が挙げられる。
また、医療用チューブ１に用いることができる減圧手段４ｂとしては、減圧ポンプその他手段等が挙げられる。
【００２８】
医療用チューブ１に用いることができる逆流防止手段５としては、逆止弁、クランプ、絞りその他手段等が挙げられ、特に、目詰まりの懸念をなくす観点から、クランプが好ましい。
【００２９】
なお、生体排液とは、例えば、尿、血液、腹水／胸水、胆汁、消化管液、術野浸出液、術野の洗浄液、脳脊髄液のドレナージ液、腹膜透析液その他液体を指す。
【００３０】
ここで、流路２を通過させる生体排液３は、尿であることが好ましい。
【００３１】
流路２を通過させる生体排液３を尿とすれば、流路２を通過する尿の流速を増加させることができる。これにより、流路２に滞留した尿中の尿砂等を、その滞留部位から流動させ、該尿砂等を一端２ａ側から他端２ｂ側に向かって、通過させることができる。このとき、尿が、他端２ｂ側から一端２ａ側に向かって、逆流することを防ぐことができる。
【００３２】
図２（ａ）に、図１に示す医療用チューブの一例の概略を示す。以下では、図１に示す医療用チューブ１と同様の要素には同一の符号を付し、その説明は省略する。
図２において、医療用チューブの一例１０（以下、「チューブ１０」ともいう）は、その延在方向に垂直な平面による断面の形状が円であり、チューブ１０の内径ｒは、チューブ１０の大部分において、一定となっている。
なお、チューブ１０の内径ｒとは、図２（ａ）に示すように、チューブ１０の流路２となる空間の、流路２の延在方向に垂直な平面による断面の形状である円の直径を指す。
【００３３】
ここで、チューブ１０は、その延在方向に垂直な平面による断面の形状が円であり、上記チューブ１０の大部分において一定である、チューブ１０の内径ｒと比較して大きい内径Ｒを有する、拡径部１１を備える。
なお、図２（ａ）に示すように、拡径部１１は、その周囲のチューブ１０の部分と比較して膨らんでおり、外観上、バルーン形状を有する。そして、拡径部１１の内径Ｒとは、拡径部１１の流路となる空間の、拡径部１１の延在方向に垂直な平面による断面の形状である円の直径を指す。
【００３４】
拡径部１１は、押圧されることによって、流路２内部を加圧することができる。言い換えれば、拡径部１１は、流路２内部を加圧する加圧手段４ａとすることができる。なお、図２（ａ）に示す拡径部１１は、バルーン形状を有するため、容易に押圧されることができる。
【００３５】
また、図２（ａ）に示すように、チューブ１０は、拡径部１１の、流路２の一端２ａ側の端１１ａを挟み込む、クランプ１２を備える。
クランプ１２は、この一端２ａ側の端１１ａの位置において、流路２を解放又は遮断することができる。このように、クランプ１２は、逆流防止手段５とすることができる。
【００３６】
更に、図２（ａ）に示すように、チューブ１０は、表面から裏面に貫通し、平面視で円形の穴を２つ有する、平板状の冶具１３を、拡径部１１の押圧手段として備える。ここで、冶具１３が備える２つの穴は、チューブ１０の内径ｒと比較して大きく、且つ拡径部１１の内径Ｒと比較して小さい内径ｒ’を有する往路用穴１３Ｓ、及び、拡径部１１の内径Ｒと比較して大きい内径Ｒ’を有する復路用穴１３Ｌからなる。
【００３７】
冶具１３を用いて拡径部１１を押圧する方法を具体的に記載する。
まず、冶具１３を、チューブ１０が冶具１３の穴１３Ｌ、１３Ｓを通るように、チューブ１０に取り付ける。次いで、平板状の冶具１３を、その面がチューブ１０の延在方向に垂直になるように、支え、チューブ１０が往路用穴１３Ｓを通るように、この冶具１３の往路用穴１３Ｓをチューブ１０の外表面に当てる。
そして、図２（ｂ）に示すように、この冶具１３を、チューブ１０の延在方向に沿って、流路２の一端２ａ側から他端２ｂ側に向かって、スライドさせる（図２（ｂ）に、スライドさせる方向を矢印Ａで示す）。このとき、拡径部１１の内径Ｒは、往路用穴１３Ｓの内径ｒ’と比較して、大きいため、拡径部１１において、冶具１３をスライドさせる際には、拡径部１１は、その内径Ｒが小さくなるように、押し潰される。拡径部１１が冶具１３により押し潰されることによって、拡径部１１の内部が加圧され、拡径部１１を通過する生体排液３の、流路２の一端２ａ側から他端２ｂ側に向かう方向の流速が増加する。そのため、流路２に滞留した生体排液３中の不溶物を、その滞留部位から流路２の一端２ａ側から他端２ｂ側に向かって通過させることが可能になる。
【００３８】
冶具１３の拡径部１１の他端２ｂ側端１１ｂまでのスライドが完了した後には、冶具１３を、チューブ１０が復路用穴１３Ｌを通るように、この冶具１３の復路用穴１３Ｌをチューブ１０の外表面に当てる。
そして、図２（ｃ）に示すように、この冶具１３を、チューブ１０の延在方向に沿って、流路２の他端２ｂ側から一端２ａ側に向かって、スライドさせる（図２（ｃ）に、スライドさせる方向を矢印Ｂで示す）。このとき、復路用穴１３Ｌの内径Ｒ’は、拡径部１１の内径Ｒと比較して、大きいため、拡径部１１において、冶具１３をスライドさせる際に、拡径部１１が押し潰されることはない。そのため、流路２に滞留した生体排液３中の不溶物を、その滞留部位から流路２の他端２ｂ側から一端２ａ側に向かって通過させることなく、冶具１３を初期位置に戻すことができる。
【００３９】
上記作用に従って冶具１３を、チューブ１０の延在方向に沿って、スライドさせることによって、拡径部１１の押圧を、繰り返し行うことができる。
【００４０】
チューブ１０の内径ｒは、４．０ｍｍ〜７．０ｍｍとすることができ、拡径部１１の内径Ｒは、４．０ｍｍ〜２０ｍｍとすることができる。
また、拡径部１１のチューブ１０の延在方向に沿った長さＬは、５．０ｍｍ〜５０ｍｍとすることができる。
【００４１】
なお、医療用チューブ１０では、拡径部１１を押圧する手段を、冶具１３としているが、医療用チューブ１では、手や拘束バンド等の他の冶具とすることもできる。
【００４２】
図３（ａ）に、図２に示す医療用チューブの一例１０が備える拡径部の変形例の概略を示す。以下では、図２に示す医療用チューブ１０と同様の要素には同一の符号を付し、その説明は省略する。
図３（ｂ）に、図３（ａ）に示す拡径部を、線Ｘ−Ｘに沿って切断したときの断面を示す。拡径部１１の変形例は、一定の高さを有する平板状の形状を有し、ここで、その延在方向に垂直な平面による断面において、流路２（図示せず）の一端２ａ側の端１１ａから中央部分に向かって幅が漸増し、中央部分から流路２（図示せず）の他端２ｂ側の端１１ｂに向かって幅が漸減する。ここで、拡径部１１の内径Ｒとは、拡径部１１の最大幅を指す。
この拡径部１１の変形例によれば、拡径部１１を比較的小さい力で押圧することが可能となり、例えば、筋力の弱い高齢者でも拡径部１１を容易に押圧することが可能となる。そのため、尿が逆流することを防ぎつつ、尿の流速を増加させるという効果を確実に得ることができる。
【００４３】
また、医療用チューブ１０では、拡径部１１の形状を、チューブ１０の軸線と同じ軸線を有する卵形としているが、医療用チューブ１では、押圧しやすい形状である限りあらゆる形状とすることができる。
【００４４】
（チューブ接続構造、蓄尿バッグセット）
図４に、図２に示す医療用チューブの一例を備えるチューブ接続構造の一例、及び該チューブ接続構造の一例を備える蓄尿バッグセットの一例の概略を示す。以下では、図２に示す医療用チューブの一例と同様の要素には同一の符号を付し、その説明は省略する。
図４において、蓄尿バッグセットの一例３０（以下、「蓄尿セット３０」）は、チューブ１０と、該チューブ１０の他端２ｂ側に接続された医療用コネクタ２１と、該医療用コネクタ２１に接続された蓄尿バッグ３１とを備える。
ここで、チューブ１０と、該チューブ１０の他端２ｂ側に接続された医療用コネクタ２１とは、チューブ接続構造の一例２０を構成する。
【００４５】
蓄尿セット３０では、チューブ１０が膀胱留置用カテーテルとして用いられ、ここでは、チューブ１０の一端２ａ側は、患者の膀胱内に挿入され、膀胱内部から排出された尿３ｕが、チューブ１０の流路２を通過する。
【００４６】
蓄尿セット３０は、チューブ１０を備えるため、流路２を通過する尿３ｕの流速を増加させることができる。これにより、チューブ１０の流路２に滞留した尿３ｕ中の尿砂等を、その滞留部位から流動させ、該尿砂等を一端２ａ側から他端２ｂ側に向かって、通過させることができる。このとき、尿３ｕが、他端２ｂ側から一端２ａ側に向かって、逆流することを防ぐことができる。
【００４７】
なお、蓄尿セット３０は、チューブ１０の流路２の他端２ｂから蓄尿バッグ３１の注入口３１ｅまでの間に、尿３ｕが通過する蓄尿セット３０の流路３２を備える。上記のチューブ１０の、流路２を通過する尿３ｕの流速を増加させるという効果は、蓄尿セット３０の流路３２においても得ることができる。
【００４８】
そのため、蓄尿セット３０によれば、流路２、及び流路３２を通過する尿３ｕの流速を増加させることができる。これにより、チューブ１０の流路２、及び蓄尿セット３０の流路３２に滞留した尿３ｕ中の尿砂等を、その滞留部位から流動させ、該尿砂等をチューブ１０の一端２ａ側から他端２ｂ側に向かって、通過させることができる。このとき、尿３ｕが、チューブ１０の他端２ｂ側から一端２ａ側に向かって、逆流することを防ぐことができる。
【００４９】
なお、蓄尿セット３０は、チューブ１０の流路２に備えられた、加圧手段４ａとしての拡径部１１及び冶具１３に代えて、医療用コネクタ２１と蓄尿バッグ３１との間にある、蓄尿セット３０の流路３２に、例えば、減圧ポンプ等の減圧手段４ｂ（図示せず）を備えることができる。この場合、減圧手段４ｂは、医療用コネクタ２１を介してチューブ１０の流路２の他端２ｂに接続されているため、チューブ１０の流路２内部を減圧することができ、そのため、流路２を通過する尿３ｕの流速を増加させることができる。これにより、チューブ１０の流路２に滞留した尿３ｕ中の尿砂等を、その滞留部位から流動させ、該尿砂等をチューブ１０の一端２ａ側から他端２ｂ側に向かって、通過させることができる。
【００５０】
また、図４に示す、蓄尿セット３０では、チューブ１０は、その流路２の一端２ａ付近に、拡縮可能なバルーン１４を備え、チューブ１０の流路２の他端２ｂ付近に、例えば、蒸留水等の媒体１６を充填した、リザーバ１５を備える。バルーン１４とリザーバ１５とは、流路２とは別の流路（図示せず）を介して、媒体１６を出し入れ可能なように、構成されている。
そして、例えば、バルーン１４から媒体１６を出すことによって、バルーン１４を萎ませて、チューブ１０の一端２ａ側を膀胱に留置することを可能にし、バルーン１４に蒸留水を入れることによって、バルーン１４を膨らませて、チューブ１０の一端２ａ側を膀胱から取り出すことを可能にする。
【００５１】
本発明の医療用チューブに用いることができる材料としては、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；等が挙げられる。これらの素材は、１種単独で用いてもよく、２種以上を混合して用いてもよく、ポリマーアロイとして用いてもよい。上記素材の中では、特に、ポリ塩化ビニルが好ましい。
【００５２】
以上、図面を参照して、本発明の医療用チューブ、チューブ接続構造、及び蓄尿バッグセットの実施形態について例示説明したが、本発明の医療用チューブ、チューブ接続構造、及び蓄尿バッグセットは、上記の例に限定されることはなく、上記実施形態には、適宜変更を加えることができる。
【産業上の利用可能性】
【００５３】
本発明の医療用チューブによれば、その流路に生体排液を流通させたときに、生体排液が逆流することを防ぎつつ、生体排液の流速を増加させることができる。本発明のチューブ接続構造、及び本発明の蓄尿バッグセットによれば、上記本発明の医療用チューブの効果を得ることができる。
【符号の説明】
【００５４】
１      医療用チューブ
２      流路
２ａ    流路の一端
２ｂ    流路の他端
３      生体排液
３ｕ    尿
４      圧力制御手段
４ａ    加圧手段
４ｂ    減圧手段
５      逆流防止手段
１０    医療用チューブの一例
１１    拡径部
１１ａ  拡径部の流路の一端側の端
１１ｂ  拡径部の流路の他端側の端
１２    クランプ
１３    冶具
１３Ｓ  往路用穴
１３Ｌ  復路用穴
１４    バルーン
１５    リザーバ
１６    媒体
２０    チューブ接続構造の一例
２１    医療用コネクタ
３０    蓄尿バッグセットの一例
３１    蓄尿バッグ
３１ｅ  蓄尿バッグの注入口
３２    蓄尿バッグの流路
ｒ      医療用チューブの内径
Ｒ      拡径部の内径
ｒ’    往路用穴の内径
Ｒ’    復路用穴の内径
【図１】
2014158609.tif 000003
【図２】
2014158609.tif 000004
【図３】
2014158609.tif 000005
【図４】
2014158609.tif 000006